【手続補正書】
【提出日】平成17年1月27日(2005.1.27)
【手続補正１】
【補正対象書類名】明細書
【補正対象項目名】特許請求の範囲
【補正方法】変更
【補正の内容】
【特許請求の範囲】
【請求項１】
新規登録者の個人情報を入力する手段を有してなる第１の情報処理装置と、上記新規登録者の個人情報を記憶する手段を有してなる第２の情報処理装置とを有してなる、登録者同士の人脈関係を登録するためのシステムであって、
上記第２の情報処理装置は、上記第１の情報処理装置から入力された新規登録者の個人情報を、既登録者の確認に基づき上記既登録者と関連付けて記憶することを特徴とする人脈関係登録システム。
【請求項２】
第２の情報処理装置は、特定の登録者相互間の合意によって人間関係が結ばれたとき、合意した当人同士の関係の程度を表す関係度数と、合意した当人と連鎖する登録者との関係の程度を表す関係度数とを記憶する請求項１記載の人脈関係登録システム。
【請求項３】
特定の登録者相互間の合意は、メールの交換によって行われる請求項２記載の人脈関係登録システム。
【請求項４】
第２の情報処理装置は、登録者からの要求に基づき、記憶した個人情報と関係度数に基づく人脈関係情報を作成して出力する請求項２または３記載の人脈関係登録システム。
【請求項５】
登録者同士の人脈関係を登録するための方法であって、
新規登録者の個人情報がサーバに入力されるステップと、
上記サーバが、上記新規登録者の個人情報を、既登録者の確認に基づき上記既登録者と関連付けて記憶するステップ、とを有することを特徴とする人脈関係登録方法。
【請求項６】
サーバは、特定の登録者相互間の合意によって人間関係が結ばれたとき、合意した当人同士の関係の程度を表す関係度数と、合意した当人と連鎖する登録者との関係の程度を表す関係度数とを記憶する請求項５記載の人脈関係登録方法。
【請求項７】
特定の登録者相互間の合意は、メールの交換によって行われる請求項６記載の人脈関係登録方法。
【請求項８】
登録者からの要求に基づき、記憶した個人情報と関係度数に基づく人脈関係情報を作成して出力するステップ、をさらに有する請求項６または７記載の人脈関係登録方法。
【請求項９】
登録者同士の人脈関係を登録するためのサーバであって、
新規登録者の個人情報を受付ける手段と、
上記受付けた新規登録者の個人情報を既登録者に確認する手段と、
上記既登録者の確認に基づき上記新規登録者の個人情報を既登録者と関連付けて記憶する手段、とを有してなることを特徴とする人脈関係登録サーバ。
【請求項１０】
記憶する手段は、特定の登録者相互間の合意によって人間関係が結ばれたとき、合意した当人同士の関係の程度を表す関係度数と、合意した当人と連鎖する登録者との関係の程度を表す関係度数とを記憶する請求項９記載の人脈関係登録サーバ。
【請求項１１】
特定の登録者相互間の合意は、メールの交換によって行われる請求項１０記載の人脈関係登録サーバ。
【請求項１２】
登録者からの要求に基づき、記憶した個人情報と関係度数に基づく人脈関係情報を作成して出力するステップ、をさらに有する請求項１０または１１記載の人脈関係登録サーバ。
【請求項１３】
コンピュータを、請求項９乃至１２のいずれかに記載の人脈関係登録サーバとして機能させることを特徴とする人脈関係登録プログラム。
【請求項１４】
コンピュータプログラムを記録したコンピュータ読取可能な記録媒体であって、
上記コンピュータプログラムは請求項１３記載の人脈関係登録プログラムであることを特徴とするコンピュータ読取可能な記録媒体。
【請求項１５】
登録者の端末と通信ネットワークを介して接続したサーバであって、
登録者の識別情報を含む当該登録者の個人情報と当該登録者と他の登録者との人間関係の連鎖の程度を表す関係度数とを登録者ごとに記憶している記憶手段と、
第一の登録者の端末から第二の登録者の識別情報を含む検索キーワードを受信し、第二の登録者と人間関係の連鎖している登録者（以下、「第三の登録者」という）の個人情報と第二の登録者と第三の登録者との関係度数とを上記記憶手段から検索し、検索した第三の登録者の個人情報と検索した関係度数とを第一の登録者の端末に送信する手段と、
を有してなることを特徴とする人脈関係登録サーバ。
【請求項１６】
第一の登録者の端末から当該第一の登録者の識別情報を受信する手段をさらに備え、
「第二の登録者と第三の登録者との関係度数」に代えて「第一の登録者と第三の登録者との関係度数」とした請求項１５記載の人脈関係登録サーバ。
【請求項１７】
第一の登録者と第三の登録者のそれぞれと人間関係の連鎖している登録者（以下、「第四の登録者」という）の個人情報を記憶手段から検索し、検索した第四の登録者の個人情報を第一の登録者の端末に送信する手段をさらに備えた請求項１６記載の人脈関係登録サーバ。
【請求項１８】
第一の登録者と第四の登録者との関係度数を記憶手段から検索し、検索した関係度数を第一の登録者の端末に送信する手段をさらに備えた請求項１７記載の人脈関係登録サーバ。
【請求項１９】
検索キーワードには関係度数が含まれ、
第三の登録者を「第二の登録者と人間関係の連鎖している登録者」に代えて「第二の登録者との人間関係の連鎖の程度が検索キーワードに含まれる関係度数と一致する登録者」とした請求項１５記載の人脈関係登録サーバ。
【請求項２０】
検索キーワードには関係度数が含まれ、
第三の登録者を「第二の登録者と人間関係の連鎖している登録者」に代えて「第二の登録者との人間関係の連鎖の程度が検索キーワードに含まれる関係度数以上の登録者」とした請求項１５記載の人脈関係登録サーバ。
【請求項２１】
第一の登録者と第三の登録者のそれぞれと人間関係の連鎖している登録者（以下、「第四の登録者」という）の個人情報を記憶手段から検索し、検索した第四の登録者の個人情報を第一の登録者の端末に送信する手段をさらに備えた請求項１９または２０記載の人脈関係登録サーバ。
【請求項２２】
第一の登録者と第四の登録者との関係度数を記憶手段から検索し、検索した関係度数を第一の登録者の端末に送信する手段をさらに備えた請求項２１記載の人脈関係登録サーバ。
【請求項２３】
第一の登録者が第三の登録者と人間関係を結ぶことを希望している旨の第一のメッセージを第一の登録者の端末から受信して第三の登録者の端末に送信すると共に、第三の登録者が第一の登録者と人間関係を結ぶことに合意する旨の第二のメッセージを第三の登録者の端末から受信して第一の登録者の端末に送信する手段と、
上記第一のメッセージと第二のメッセージを送信したときに、上記記憶手段に記憶されている「第一の登録者」と「第三の登録者」との関係度数を更新する手段と、
をさらに備えた請求項１５乃至２２のいずれかに記載の人脈関係登録サーバ。
【請求項２４】
第一のメッセージと第二のメッセージを送信したときに、記憶手段に記憶されている「第一の登録者」と「第三の登録者と人間関係の連鎖している登録者」との関係度数と、「第三の登録者」と「第一の登録者と人間関係の連鎖している登録者」との関係度数のそれぞれを更新する手段をさらに備えた請求項２３に記載の人脈関係登録サーバ。
【請求項２５】
既登録者の識別情報と登録希望者の個人情報とを当該登録希望者の端末から受信する手段と、
上記受信した登録希望者の個人情報を既登録者の端末に送信する手段と、
上記既登録者が登録希望者の個人情報を確認した旨の確認情報を上記既登録者の端末から受信したとき、上記登録希望者の個人情報を記憶手段に記憶する手段とをさらに備えた請求項１５乃至２４のいずれかに記載の人脈関係登録サーバ。
【請求項２６】
既登録者の識別情報と登録希望者の個人情報とを既登録者の端末から受信する手段と、
上記受信した登録希望者の個人情報を登録希望者の端末に送信する手段と、
上記登録希望者が登録希望者の個人情報を確認した旨の確認情報を上記登録希望者の端末から受信したとき、上記登録希望者の個人情報を記憶手段に記憶する手段とをさらに備えた請求項１５乃至２４のいずれかに記載の人脈関係登録サーバ。
【請求項２７】
登録者の個人情報には当該登録者の専門分野が含まれ、
第三の登録者の専門分野を記憶手段から検索し、検索した第三の登録者の専門分野を第一の登録者の端末に送信する手段をさらに備えた請求項１５乃至２６のいずれかに記載の人脈関係登録サーバ。
【請求項２８】
登録者の個人情報には当該登録者の専門分野が含まれ、
検索キーワードには専門分野が含まれ、
第三の登録者を「第二の登録者と人間関係の連鎖している登録者」に代えて「第二の登録者と人間関係の連鎖している登録者のうち専門分野が検索キーワードに含まれる専門分野と一致する登録者」とした請求項１５記載の人脈関係登録サーバ。
【請求項２９】
登録者の個人情報には当該登録者の専門分野が含まれ、
検索キーワードには専門分野が含まれ、
第三の登録者を「第二の登録者との人間関係の連鎖の程度が検索キーワードに含まれる関係度数と一致する登録者」に代えて「第二の登録者との人間関係の連鎖の程度が検索キーワードに含まれる関係度数と一致する登録者のうち専門分野が検索キーワードに含まれる専門分野と一致する登録者」とした請求項１９記載の人脈関係登録サーバ。
【請求項３０】
検索キーワードには専門分野が含まれ、
第三の登録者を「第二の登録者との人間関係の連鎖の程度が検索キーワードに含まれる関係度数と一致する登録者」に代えて「第二の登録者との人間関係の連鎖の程度が検索キーワードに含まれる関係度数以上の登録者のうち専門分野が検索キーワードに含まれる専門分野と一致する登録者」とした請求項１９記載の人脈関係登録サーバ。
【請求項３１】
第一の登録者と第三の登録者のそれぞれと人間関係の連鎖している登録者（以下、「第四の登録者」という）の個人情報を記憶手段から検索し、検索した第四の登録者の個人情報を第一の登録者の端末に送信する手段をさらに備えた請求項２７乃至３０のいずれかに記載の人脈関係登録サーバ。
【請求項３２】
第一の登録者と第四の登録者との関係度数を記憶手段から検索し、検索した関係度数を第一の登録者の端末に送信する手段をさらに備えた請求項３１記載の人脈関係登録サーバ。
【請求項３３】
登録者の識別情報は当該登録者の氏名である請求項１５乃至３２のいずれかに記載の人脈関係登録サーバ。
【請求項３４】
第一の登録者と第二の登録者は同一人である請求項１５乃至３３のいずれかに記載の人脈関係登録サーバ。
【請求項３５】
登録者の端末と通信ネットワークを介して接続したサーバであって、
登録者の識別情報を含む当該登録者の個人情報と当該登録者と他の登録者との人間関係の連鎖の程度を表す関係度数とを登録者ごとに記憶している記憶手段と、
第一の登録者が第二の登録者と人間関係を結ぶことを希望している旨の第一のメッセージを第一の登録者の端末（以下、「第一の端末」という）から受信して第二の登録者の端末（以下、「第二の端末」という）に送信すると共に、第二の登録者が第一の登録者と人間関係を結ぶことに合意する旨の第二のメッセージを第二の端末から受信して第一の端末に送信する手段と、
上記第一のメッセージと第二のメッセージを送信したときに、上記記憶手段に記憶されている「第一の登録者」と「第二の登録者」との関係度数と、「第一の登録者」と「第二の登録者と人間関係の連鎖している登録者」との関係度数と、「第二の登録者」と「第一の登録者と人間関係の連鎖している登録者」との関係度数のそれぞれを更新する手段と、
第三の登録者の端末（以下、「第三の端末」という）から第四の登録者の識別情報を含む検索キーワードを受信し、第四の登録者と人間関係の連鎖している登録者（以下、「第五の登録者」という）の個人情報を上記記憶手段から検索し、検索した第五の登録者の個人情報を第三の端末に送信する手段と、
を有してなることを特徴とする人脈関係登録サーバ。
【請求項３６】
検索キーワードには関係度数が含まれ、
第五の登録者を「第四の登録者と人間関係の連鎖している登録者」に代えて「第四の登録者との人間関係の連鎖の程度が検索キーワードに含まれる関係度数と一致する登録者」とした請求項３５記載の人脈関係登録サーバ。
【請求項３７】
検索キーワードには関係度数が含まれ、
第五の登録者を「第四の登録者と人間関係の連鎖している登録者」に代えて「第四の登録者との人間関係の連鎖の程度が検索キーワードに含まれる関係度数以上の登録者」とした請求項３５記載の人脈関係登録サーバ。
【請求項３８】
第四の登録者と第五の登録者との関係度数を記憶手段から検索し、検索した関係度数を第三の端末に送信する手段をさらに備えた請求項３５または３７に記載の人脈関係登録サーバ。
【請求項３９】
第三の端末から第三の登録者の識別情報を受信する手段と、
第三の登録者と第五の登録者との関係度数を記憶手段から検索し、検索した関係度数を第三の端末に送信する手段と、
をさらに備えた請求項３５乃至３８のいずれかに記載の人脈関係登録サーバ。
【請求項４０】
第三の登録者と第五の登録者のそれぞれと人間関係の連鎖している登録者（以下、「第六の登録者」という）の個人情報を記憶手段から検索し、検索した第六の登録者の個人情報を第三の端末に送信する手段をさらに備えた請求項３５乃至３９のいずれかに記載の人脈関係登録サーバ。
【請求項４１】
第三の登録者と第六の登録者との関係度数を記憶手段から検索し、検索した関係度数を第三の端末に送信する手段をさらに備えた請求項４０記載の人脈関係登録サーバ。
【請求項４２】
既登録者の識別情報と登録希望者の個人情報とを当該登録希望者の端末から受信する手段と、
上記受信した登録希望者の個人情報を既登録者の端末に送信する手段と、
上記既登録者が登録希望者の個人情報を確認した旨の確認情報を上記既登録者の端末から受信したとき、上記登録希望者の個人情報を記憶手段に記憶する手段とをさらに備えた請求項３５乃至４１のいずれかに記載の人脈関係登録サーバ。
【請求項４３】
既登録者の識別情報と登録希望者の個人情報とを既登録者の端末から受信する手段と、
上記受信した登録希望者の個人情報を登録希望者の端末に送信する手段と、
上記登録希望者が登録希望者の個人情報を確認した旨の確認情報を上記登録希望者の端末から受信したとき、上記登録希望者の個人情報を記憶手段に記憶する手段とをさらに備えた請求項３５乃至４１のいずれかに記載の人脈関係登録サーバ。
【請求項４４】
コンピュータを請求項１５乃至４３のいずれかに記載の人脈関係登録サーバとして機能させることを特徴とする人脈関係登録プログラム。
【請求項４５】
コンピュータプログラムを記録したコンピュータ読取可能な記録媒体であって、
上記コンピュータプログラムは請求項４４記載の人脈関係登録プログラムであることを特徴とするコンピュータ読取可能な記録媒体。
【請求項４６】
登録者の端末と通信ネットワークを介して接続し、登録者の識別情報を含む当該登録者の個人情報と当該登録者と他の登録者との人間関係の連鎖の程度を表す関係度数とを登録者ごとに記憶している記憶手段を備えたサーバにより実行される方法であって、
上記サーバが、第一の登録者の端末から第二の登録者の識別情報を含む検索キーワードを受信するステップと、
上記サーバが、上記第二の登録者と人間関係の連鎖している登録者（以下、「第三の登録者」という）の個人情報と第二の登録者と第三の登録者との関係度数とを上記記憶手段から検索するステップと、
上記サーバが、上記検索した第三の登録者の個人情報と検索した関係度数とを第一の登録者の端末に送信するステップと、
を有してなることを特徴とする人脈関係登録方法。
【請求項４７】
サーバが、第一の登録者の端末から当該第一の登録者の識別情報を受信するステップをさらに有し、
「第二の登録者と第三の登録者との関係度数」に代えて「第一の登録者と第三の登録者との関係度数」とした請求項４６記載の人脈関係登録方法。
【請求項４８】
サーバが、第一の登録者と第三の登録者のそれぞれと人間関係の連鎖している登録者（以下、「第四の登録者」という）の個人情報を記憶手段から検索し、検索した第四の登録者の個人情報を第一の登録者の端末に送信するステップをさらに有する請求項４７記載の人脈関係登録方法。
【請求項４９】
サーバが、第一の登録者と第四の登録者との関係度数を記憶手段から検索し、検索した関係度数を第一の登録者の端末に送信するステップをさらに有する請求項４８記載の人脈関係登録方法。
【請求項５０】
検索キーワードには関係度数が含まれ、
第三の登録者を「第二の登録者と人間関係の連鎖している登録者」に代えて「第二の登録者との人間関係の連鎖の程度が検索キーワードに含まれる関係度数と一致する登録者」とした請求項４６記載の人脈関係登録方法。
【請求項５１】
検索キーワードには関係度数が含まれ、
第三の登録者を「第二の登録者と人間関係の連鎖している登録者」に代えて「第二の登録者との人間関係の連鎖の程度が検索キーワードに含まれる関係度数以上の登録者」とした請求項４６記載の人脈関係登録方法。
【請求項５２】
サーバが、第一の登録者と第三の登録者のそれぞれと人間関係の連鎖している登録者（以下、「第四の登録者」という）の個人情報を記憶手段から検索し、検索した第四の登録者の個人情報を第一の登録者の端末に送信するステップをさらに有する請求項５０または５１記載の人脈関係登録方法。
【請求項５３】
サーバが、第一の登録者と第四の登録者との関係度数を記憶手段から検索し、検索した関係度数を第一の登録者の端末に送信するステップをさらに有する請求項５２記載の人脈関係登録方法。
【請求項５４】
サーバが、第一の登録者が第三の登録者と人間関係を結ぶことを希望している旨の第一のメッセージを第一の登録者の端末から受信して第三の登録者の端末に送信すると共に、第三の登録者が第一の登録者と人間関係を結ぶことに合意する旨の第二のメッセージを第三の登録者の端末から受信して第一の登録者の端末に送信するステップと、
上記サーバが、上記第一のメッセージと第二のメッセージを送信したときに、上記記憶手段に記憶されている「第一の登録者」と「第三の登録者」との関係度数を更新するステップと、
をさらに有する請求項４６乃至５３のいずれかに記載の人脈関係登録方法。
【請求項５５】
サーバが、第一のメッセージと第二のメッセージを送信したときに、記憶手段に記憶されている「第一の登録者」と「第三の登録者と人間関係の連鎖している登録者」との関係度数と、「第三の登録者」と「第一の登録者と人間関係の連鎖している登録者」との関係度数のそれぞれを更新するステップをさらに有する請求項５４に記載の人脈関係登録方法。
【請求項５６】
サーバが、既登録者の識別情報と登録希望者の個人情報とを当該登録希望者の端末から受信するステップと、
上記サーバが、上記受信した登録希望者の個人情報を既登録者の端末に送信するステップと、
上記サーバが、上記既登録者が登録希望者の個人情報を確認した旨の確認情報を上記既登録者の端末から受信したとき、上記登録希望者の個人情報を記憶手段に記憶するステップ、とをさらに有する請求項４６乃至５５のいずれかに記載の人脈関係登録方法。
【請求項５７】
サーバが、既登録者の識別情報と登録希望者の個人情報とを既登録者の端末から受信するステップと、
上記サーバが、上記受信した登録希望者の個人情報を登録希望者の端末に送信するステップと、
上記サーバが、上記登録希望者が登録希望者の個人情報を確認した旨の確認情報を上記登録希望者の端末から受信したとき、上記登録希望者の個人情報を記憶手段に記憶するステップ、とをさらに有する請求項４６乃至５５のいずれかに記載の人脈関係登録方法。
【請求項５８】
登録者の個人情報には当該登録者の専門分野が含まれ、
サーバが、第三の登録者の専門分野を記憶手段から検索し、検索した第三の登録者の専門分野を第一の登録者の端末に送信するステップをさらに有する請求項４６乃至５７のいずれかに記載の人脈関係登録方法。
【請求項５９】
登録者の個人情報には当該登録者の専門分野が含まれ、
検索キーワードには専門分野が含まれ、
第三の登録者を「第二の登録者と人間関係の連鎖している登録者」に代えて「第二の登録者と人間関係の連鎖している登録者のうち専門分野が検索キーワードに含まれる専門分野と一致する登録者」とした請求項４６記載の人脈関係登録方法。
【請求項６０】
登録者の個人情報には当該登録者の専門分野が含まれ、
検索キーワードには専門分野が含まれ、
第三の登録者を「第二の登録者との人間関係の連鎖の程度が検索キーワードに含まれる関係度数と一致する登録者」に代えて「第二の登録者との人間関係の連鎖の程度が検索キーワードに含まれる関係度数と一致する登録者のうち専門分野が検索キーワードに含まれる専門分野と一致する登録者」とした請求項５０記載の人脈関係登録方法。
【請求項６１】
検索キーワードには専門分野が含まれ、
第三の登録者を「第二の登録者との人間関係の連鎖の程度が検索キーワードに含まれる関係度数と一致する登録者」に代えて「第二の登録者との人間関係の連鎖の程度が検索キーワードに含まれる関係度数以上の登録者のうち専門分野が検索キーワードに含まれる専門分野と一致する登録者」とした請求項５０記載の人脈関係登録方法。
【請求項６２】
サーバが、第一の登録者と第三の登録者のそれぞれと人間関係の連鎖している登録者（以下、「第四の登録者」という）の個人情報を記憶手段から検索し、検索した第四の登録者の個人情報を第一の登録者の端末に送信するステップをさらに有する請求項５８乃至６１のいずれかに記載の人脈関係登録方法。
【請求項６３】
サーバが、第一の登録者と第四の登録者との関係度数を記憶手段から検索し、検索した関係度数を第一の登録者の端末に送信するステップをさらに有する請求項６２記載の人脈関係登録方法。
【請求項６４】
登録者の識別情報は当該登録者の氏名である請求項４６乃至６３のいずれかに記載の人脈関係登録方法。
【請求項６５】
第一の登録者と第二の登録者は同一人である請求項４６乃至６４のいずれかに記載の人脈関係登録方法。
【請求項６６】
登録者の端末と通信ネットワークを介して接続し、登録者の識別情報を含む当該登録者の個人情報と当該登録者と他の登録者との人間関係の連鎖の程度を表す関係度数とを登録者ごとに記憶している記憶手段を備えたサーバにより実行される方法であって、
上記サーバが、第一の登録者が第二の登録者と人間関係を結ぶことを希望している旨の第一のメッセージを第一の登録者の端末（以下、「第一の端末」という）から受信して第二の登録者の端末（以下、「第二の端末」という）に送信すると共に、第二の登録者が第一の登録者と人間関係を結ぶことに合意する旨の第二のメッセージを第二の端末から受信して第一の端末に送信するステップと、
上記サーバが、上記第一のメッセージと第二のメッセージを送信したときに、上記記憶手段に記憶されている「第一の登録者」と「第二の登録者」との関係度数と、「第一の登録者」と「第二の登録者と人間関係の連鎖している登録者」との関係度数と、「第二の登録者」と「第一の登録者と人間関係の連鎖している登録者」との関係度数のそれぞれを更新するステップと、
上記サーバが、第三の登録者の端末（以下、「第三の端末」という）から第四の登録者の識別情報を含む検索キーワードを受信し、第四の登録者と人間関係の連鎖している登録者（以下、「第五の登録者」という）の個人情報を上記記憶手段から検索し、検索した第五の登録者の個人情報を第三の端末に送信するステップと、
を有してなることを特徴とする人脈関係登録方法。
【請求項６７】
検索キーワードには関係度数が含まれ、
第五の登録者を「第四の登録者と人間関係の連鎖している登録者」に代えて「第四の登録者との人間関係の連鎖の程度が検索キーワードに含まれる関係度数と一致する登録者」とした請求項６６記載の人脈関係登録方法。
【請求項６８】
検索キーワードには関係度数が含まれ、
第五の登録者を「第四の登録者と人間関係の連鎖している登録者」に代えて「第四の登録者との人間関係の連鎖の程度が検索キーワードに含まれる関係度数以上の登録者」とした請求項６６記載の人脈関係登録方法。
【請求項６９】
サーバが、第四の登録者と第五の登録者との関係度数を記憶手段から検索し、検索した関係度数を第三の端末に送信するステップをさらに有する請求項６６または６８に記載の人脈関係登録方法。
【請求項７０】
サーバが、第三の端末から第三の登録者の識別情報を受信するステップと、
上記サーバが、第三の登録者と第五の登録者との関係度数を記憶手段から検索し、検索した関係度数を第三の端末に送信するステップとをさらに有する請求項６５乃至６９のいずれかに記載の人脈関係登録方法。
【請求項７１】
サーバが、第三の登録者と第五の登録者のそれぞれと人間関係の連鎖している登録者（以下、「第六の登録者」という）の個人情報を記憶手段から検索し、検索した第六の登録者の個人情報を第三の端末に送信するステップをさらに有する請求項６６乃至７０のいずれかに記載の人脈関係登録方法。
【請求項７２】
サーバが、第三の登録者と第六の登録者との関係度数を記憶手段から検索し、検索した関係度数を第三の端末に送信するステップをさらに有する請求項７１記載の人脈関係登録方法。
【請求項７３】
サーバが、既登録者の識別情報と登録希望者の個人情報とを当該登録希望者の端末から受信するステップと、
上記サーバが、上記受信した登録希望者の個人情報を既登録者の端末に送信するステップと、
上記サーバが、上記既登録者が登録希望者の個人情報を確認した旨の確認情報を上記既登録者の端末から受信したとき、上記登録希望者の個人情報を記憶手段に記憶するステップとをさらに有する請求項６５乃至７２のいずれかに記載の人脈関係登録方法。
【請求項７４】
サーバが、既登録者の識別情報と登録希望者の個人情報とを既登録者の端末から受信するステップと、
上記サーバが、上記受信した登録希望者の個人情報を登録希望者の端末に送信するステップと、
上記サーバが、上記登録希望者が登録希望者の個人情報を確認した旨の確認情報を上記登録希望者の端末から受信したとき、上記登録希望者の個人情報を記憶手段に記憶するステップとをさらに有する請求項６６乃至７２のいずれかに記載の人脈関係登録方法。